(57)【要約】【課題】乳白色半透明の塩タイル壁にその裏側から光を効果的に当てることができて、リラクゼーションルーム内に幻想的な空間を形成できるようにした塩タイル壁構造を提供する。【解決手段】取付基枠２の内面側に金属製のスタッドボルト３が前後左右方向に夫々所要間隔おきに突設されると共に多数の発光素子７が配設され、各スタッドボルト３の先端部に透明プラスチック板からなるタイル基板受け４が螺着され、各タイル基板受け４に透明プラスチック板からなるタイル基板５が当接支持されて接着剤により固定され、タイル基板５に、精製塩又は天然塩の溶融成形物からなる乳白色半透明の多数の塩タイル６が取り付けられている。【選択図】図３
2010007382.tif 000002
【特許請求の範囲】
【請求項１】
取付基枠の内面側に金属製のスタッドボルトが前後左右方向に夫々所要間隔おきに突設されると共に多数の発光素子が配設され、各スタッドボルトの先端部に透明プラスチック板からなるタイル基板受けが螺着され、各タイル基板受けに透明プラスチック板からなるタイル基板が当接支持されて接着剤により固定され、このタイル基板に、精製塩又は天然塩の溶融成形物からなる乳白色半透明の多数の塩タイルが取り付けられてなる塩タイル壁構造。
【請求項２】
各タイル基板受けは隣接する複数の四角形タイル基板の境界部を跨ぐように配置される請求項１に記載の塩タイル壁構造。
【請求項３】
塩タイルは正六角形の厚板状に形成されている請求項１又は２に記載の塩タイル壁構造。
【発明の詳細な説明】
【技術分野】
【０００１】
本発明は、リラクゼーションルームや塩サウナ等の内壁に適用される塩タイル壁構造に関する。
【背景技術】
【０００２】
温浴を利用するリラクゼーション施設として、サウナ、岩盤浴、温泉等が利用されているが、近年、塩のもつ遠赤外線効果や殺菌効果等に着目して、砂利状の岩塩を床に敷き詰めたり、塊状岩塩を積み上げて壁体を形成することが行われている。そして、本発明者は先に、塩サウナ等の内装材用として、精製塩や天然塩を加熱溶融して形成型内で冷却固化させた塩製パネル（塩タイル）を提案している（特許文献１）。
【０００３】
上記特許文献１の塩製パネル、即ち塩タイルは、基礎構造体である側壁、床壁及び天井壁に対しコンクリート釘や接着剤によって直接に固定されるようになっている。
【特許文献１】特開２００７−９２５１４号公報
【発明の開示】
【発明が解決しようとする課題】
【０００４】
上記のように塩タイルは、基礎構造体である側壁、床壁及び天井壁に対し直接的に固定されるため、塩タイル壁の裏側から塩タイルに投光することができない。即ち、乳白色半透明の塩タイルに塩タイル壁の裏側から光を当てると、この乳白色半透明の塩タイルを通して、その光が、水彩画で描いたような滲んだ色合いとなって、リラクゼーションルーム内に幻想的な空間を形成することができる。
【０００５】
本発明は、上記の事情に鑑み、乳白色半透明の塩タイル壁にその裏側から光を効果的に当てることができて、リラクゼーションルーム内に幻想的な空間を形成できるようにした塩タイル壁構造体を提供することを目的としている。
【課題を解決するための手段】
【０００６】
上記課題を解決するための手段を、後述する実施形態の参照符号を付して説明すると、請求項１に係る発明の塩タイル壁構造は、取付基枠２の内面側に金属製のスタッドボルト３が前後左右方向に夫々所要間隔おきに突設されると共に多数の発光素子７が配設され、各スタッドボルト３の先端部に透明プラスチック板からなるタイル基板受け４が螺着され、各タイル基板受け４に透明プラスチック板からなるタイル基板５が当接支持されて接着剤により固定され、このタイル基板５に、精製塩又は天然塩の溶融成形物からなる乳白色半透明の多数の塩タイル６が取り付けられてなることを特徴とする。
【０００７】
請求項２は、請求項１に記載の塩タイル壁構造において、各タイル基板受け４は隣接する複数の四角形タイル基板５の境界部を跨ぐように配置されることを特徴とする。
【０００８】
請求項３は、請求項１又は２に記載の塩タイル壁構造において、塩タイルは正六角形の厚板状に形成されていることを特徴とする。
【発明の効果】
【０００９】
上記解決手段による発明の効果を、後述する実施形態の参照符号を付して説明すると、請求項１に係る発明によれば、塩タイル壁構造は、取付基枠２の内面側に金属製のスタッドボルト３を所要間隔おきに突設すると共に多数の発光素子７を配設し、各スタッドボルト３の先端部にタイル基板受け４を螺着し、各タイル基板受け４にタイル基板５を当接支持して接着剤により固定し、各タイル基板５に、精製塩又は天然塩の溶融成形物からなる乳白色半透明の多数の塩タイル６を取り付けてなるもので、スタッドボルト３により取付基枠２とタイル基板５の間に所要幅の空間部Ｓが形成されると共に、タイル基板５及びタイル基板受け４が透明プラスチック板からなるために、発光素子７を様々なパターン及び色合いで発光させることによって、その発光が空間部Ｓから乳白色半透明の塩タイル６…を有効に通過させてリラクゼーションルーム１内から淡い映像として効果的に視認できて、ルーム１内に幻想的な空間を形成でき、それによって入室者を視覚面からリラックスさせることができる。
【００１０】
請求項２に係る発明によれば、各タイル基板受け４は、隣接する複数の四角形タイル基板５の境界部を跨ぐように配置されるから、スタッドボルト３とともにタイル基板受け４の数を極力少なくして、構造の簡素化を図ることができる。
【００１１】
請求項３に係る発明によれば、塩タイル６が正六角形の厚板状に形成されているから、多数枚の塩タイル６…を同じ向きとして全体に偏りなく配列できると共に、１２０°の各角部が他の２枚の塩タイル６，６間の１２０°開いた間に入り込む形となって、淡い光の映像による高いリラクゼーション効果を与えることができる。
【発明を実施するための最良の形態】
【００１２】
以下に本発明の好適な一実施形態を図面に基づいて説明すると、図１は本発明に係る塩タイル壁構造を有するリラクゼーションルームの縦断面図、図２は床塩タイル壁、天井塩タイル壁及び側壁塩タイル壁の各塩タイル壁の一部を室内側から見た正面図、図３は床塩タイル壁構造体を示す縦断面図、図４は天井塩タイル壁構造体を示す縦断面図、図５は側壁塩タイル壁構造体を示す縦断面図である。図１に示すリラクゼーションルーム１は、鉄筋コンクリート建物の中に設置されたもので、ルーム本体Ａと、これを覆うように設けられたルーム外殻体Ｂとからなる。
【００１３】
ルーム本体Ａは、床塩タイル壁構造体ａ１と、天井塩タイル壁構造体ａ２と、前後左右の側壁塩タイル壁構造体ａ３…とからなり、ルーム外殻体Ｂは、前後左右の側壁ｂ１…と天井材ｂ２とからなる。
【００１４】
床塩タイル壁構造体ａ１では、図３に示すように、取付基枠２の内面（上面）側に、鋼製のスタッドボルト３が前後左右方向に夫々所要間隔おきに突設されると共に発光素子７…が多数個配設され、各スタッドボルト３の先端部に透明プラスチック板からなるタイル基板受け４が螺着され、各タイル基板受け４には透明プラスチック板からなるタイル基板５が当接支持されて接着剤により固定され、このタイル基板５に、精製塩の溶融成形物からなる乳白色半透明の多数の塩タイル６が取り付けられている。
【００１５】
上記床塩タイル壁構造体ａ１につき図３を参照しながら更に詳しく説明すると、取付基枠２は、角型鋼管からなる多数の枠材８を縦横に格子状に枠組みして形成されたもので、スタッドボルト３の下端部が枠材８に挿通されてナット３１，３２により固定され、このスタッドボルト３の上端部に、透明プラスチック板、例えばポリカーボネートからなる正方形板状のタイル基板受け４の中央部が螺着され、それにより各タイル基板受け４が取付枠１７の上面から所定高さに保持されて、取付基枠２とタイル基板受け４に支持されるタイル基板５との間に所要幅の空間部Ｓが形成される。尚、タイル基板受け４の下側には同じくポリカーボネートからなるワッシャー３３が螺着されている。
【００１６】
図２から分かるように、タイル基板５は、例えば３０〜４０枚の塩タイル６が貼り付けられるような大きさの正方形や長方形の四角形に形成されて、互いに端縁どうしを突き合わせるような状態で縦横複数列に配列され、しかしてこれらタイル基板５…が互いに十字状に交差する交差点部分（境界部分）を跨ぐように配置されて、互いに交差する４枚のタイル基板５…のコーナー部分がタイル基板受け４によって支持され、しかして各タイル基板５のコーナー部分は、タイル基板受け４の上面に塗布されたプラスチック用接着剤（図示せず）によってタイル基板受け４に接着固定される。そして塩タイル壁の周辺部では、２枚のタイル基板５，５の突き合わせ端縁（境界部分）を跨ぐように配置されて、互いに交差する２枚のタイル基板５，５の端縁部がタイル基板受け４によって支持され、しかして各タイル基板５の端縁部は、タイル基板受け４の上面に塗布された前記接着剤によってタイル基板受け４に接着固定される。
【００１７】
図６及び図７に示すように、各塩タイル６は、表面６ａがムラ状の凹凸をなす六角形の厚板状に形成されていて、互いに隣接する塩タイル６…との間に一定幅の目地部９を形成するように配置され、浅い凹面状をなす背面６ｂ側で両面接着剤１０を介してタイル基板５に接着固定されている。また図７に示すように、塩タイル６の周端面は室内側へ収束する緩傾斜のテーパに形成されている。そして、塩タイル６…の目地部９には、塩ペーストからなる目地材１１が充填されて、乾燥固化されている。
【００１８】
塩タイル６の溶融成形物は、精製塩又は天然塩の微粉末を融点（８００．４℃）以上、好ましくは８１０〜８３０℃に加熱して溶融させ、この加熱溶融物を成形型内に流し込んで冷却固化させたものであり、乳白色半透明で岩塩のように硬い板体になっている。そして、この成形において、成形型の開放面側のタイル表面（使用時の背面２ｂ）が冷却固定時の収縮に伴って浅い凹面状になる一方、成形型の底面側に接するタイル表面（使用時の表面６ａには同収縮に伴ってムラ状の凹凸を生じる。尚、このムラ状の凹凸とは、不規則でなだらかな凹凸を意味する。
【００１９】
また目地材１１に使用する塩ペーストは、精製塩又は天然塩の微粉末に水を加えて混和したものであり、その水分比率によって粘度が異なるが、一般的には粉末／水の重量比３／７〜７／３の範囲、より好適には同重量比４／６〜６／４の範囲とするのがよい。このような塩ペーストは、乾燥固化した際にひび割れることなく強い塩層を形成すると共に、同じ塩材質である塩タイル６に対して高い親和性を示す。
【００２０】
発光素子７は、赤色の発光素子と緑色の発光素子と青色の発光素子との３つの発光素子を束ねて構成したもので、図３に示すように、取付基枠２を構成する枠材８上に断熱材１２を介して取り付けられた取付部材１３に配設されている。
【００２１】
上記のように、床塩タイル壁構造体ａ１は、取付基枠２の内面側に金属製のスタッドボルト３を前後左右方向に夫々所要間隔おきに突設すると共に多数の発光素子７を配設し、各スタッドボルト３の先端部にタイル基板受け４を螺着し、各タイル基板受け４にタイル基板５を当接支持して接着剤により固定し、このタイル基板５に、精製塩又は天然塩の溶融成形物からなる乳白色半透明の多数の塩タイル６を取り付けてなるもので、スタッドボルト３により取付基枠２とタイル基板５との間に所要幅の空間部Ｓが形成されると共に、タイル基板５及びタイル基板受け４が透明プラスチック板からなるために、発光素子７を様々なパターン及び色合いで発光させることにより、その発光が空間部Ｓから乳白色半透明の塩タイル６…を有効に通過してリラクゼーションルーム１内から淡い映像として効果的に視認できて、ルーム１内に幻想的な空間を形成でき、それにより入室者を視覚面からリラックスさせることができる。
【００２２】
各タイル基板受け４は、図２から分かるように、隣接する複数の四角形タイル基板５の境界部を跨ぐように配置されるから、タイル基板受け４の数を極力少なくして、構造の簡素化を図ることができる。
【００２３】
図４は天井塩タイル壁構造体ａ２を示すものであるが、この天井塩タイル壁構造体ａ２は、取付基枠２の内面（下面）側に、鋼製のスタッドボルト３を所要間隔おきに下向きに突設すると共に発光素子７…を多数個配設し、各スタッドボルト３の先端部に透明プラスチック板からなるタイル基板受け４を螺着し、各タイル基板受け４には透明プラスチック板からなるタイル基板５を当接支持させて接着剤により固定し、このタイル基板５に多数の塩タイル６を取り付けてなるもので、前述の床塩タイル壁構造体ａ１を上下逆にしただけで同じ構造であるから、同一部材には同一符号をそして説明を省略する。
【００２４】
図５は側壁塩タイル壁構造体ａ３を示したもので、この側壁塩タイル壁構造体ａ３も、床塩タイル壁構造体ａ１及び天井塩タイル壁構造体ａ２と殆ど同じ構造であって、取付基枠２の内面側に、鋼製のスタッドボルト３を所要間隔おきに水平横向きに突設すると共に発光素子７…を多数個配設し、各スタッドボルト３の先端部に透明プラスチック板からなるタイル基板受け４を螺着し、各タイル基板受け４には透明プラスチック板からなるタイル基板５を当接支持させて接着剤により固定し、このタイル基板５に多数の塩タイル６を取り付けてなるもので、各スタッドボルト３の基端部は、角型鋼管からなる取付基枠２の枠材８を貫通して、ナット３１，３２で固定されているが、前記床塩タイル壁構造体ａ１及び天井塩タイル壁構造体ａ２と同様な構造である。
【００２５】
また、図１に概略的に示すように、ルーム外殻体Ｂは、前後左右の側壁ｂ１…を相互に一体的に組み付けて天井材ｂ２を上から被せることにより箱状に形成したもので、天井材ｂ２は、鉄筋コンクリート建物の天井側スラブ１４から天井材吊持手段１５によって吊持されている。また、ルーム本体Ａは、床塩タイル壁構造体ａ１と天井塩タイル壁構造体ａ２と前後左右の側壁塩タイル壁構造体ａ３…とを相互に一体的に組み付けて形成したもので、天井塩タイル壁構造体ａ２の取付基枠２は、天井材吊持手段１５に付設された複数の吊り具１６…によって吊持されている。
【００２６】
また、リラクゼーションルーム１のルーム本体Ａとルーム外殻体Ｂとの間には伝熱空間１７が形成され、この伝熱空間１７に臨むルーム外殻体Ｂの前後左右側壁ｂ１…及び天井材ｂ２の夫々内側、ならびにルーム本体Ａの床塩タイル壁構造体ａ１の下面側には夫々断熱材１８が配設されており、そして前後左右側壁ｂ１…側に配設された断熱材１８の下部側から床塩タイル壁構造体ａ１側に設けられた断熱材１８の上面側にわたる領域にパネルヒーター１９が配設されている。図示は省略するが、このリラクゼーションルーム１の所要箇所には音響設備が設置されている。
【００２７】
このリラクゼーションルーム１においては、ルーム本体Ａが床塩タイル壁構造体ａ１と天井塩タイル壁構造体ａ２と側壁塩タイル壁構造体ａ３…とで構成されることから、発光素子７を様々なパターン及び色合い（３原色の混合による）で発光させることによって、その発光が乳白色半透明の塩タイル６を通してルーム内部から淡い映像として視認され、入室者を視覚面からリラックスさせる効果かがある。また、前記伝熱空間１７内のパネルヒーター１９を駆動した際、伝熱空間１７内の空気を介してルーム本体Ａに伝わる熱が塩タイル６及び目地部９を通して遠赤外線としてルーム内に放射され、入室者に心地よい温熱効果を与える。しかしてこのリラクゼーションルーム１では、温熱効果と映像効果に加え、音響設備の稼動による音響効果を組み合わせることによって、非常に高いリラクゼーション作用が得られる上に、ルーム本体Ａの内壁面全体が塩のみで構成されているため、ルーム内は細菌、ウイルス等が繁殖するおそれのない完全な清潔空間となる。
【図面の簡単な説明】
【００２８】
【図１】本発明に係る塩タイル壁構造体を有するリラクゼーションルームの縦断面図である。
【図２】床塩タイル壁、天井塩タイル壁及び側壁塩タイル壁の各塩タイル壁の一部を室内側から見た拡大正面図である。
【図３】床塩タイル壁構造体を示す拡大縦断面図である。
【図４】天井塩タイル壁構造体を示す拡大縦断面図である。
【図５】側壁塩タイル壁構造体を示す縦断面図である。
【図６】各塩タイル壁をの一部を更に拡大した拡大正面図である。
【図７】同塩タイル壁の拡大縦断面図である。
【符号の説明】
【００２９】
１            リラクゼーションルーム
２            取付基枠
３            スタッドボルト
４            タイル基板受け
５            タイル基板
６            塩タイル
９            目地部
１１          目地材
【図１】
2010007382.tif 000003
【図２】
2010007382.tif 000004
【図３】
2010007382.tif 000005
【図４】
2010007382.tif 000006
【図５】
2010007382.tif 000007
【図６】
2010007382.tif 000008
【図７】
2010007382.tif 000009